(57)【要約】    【課題】軟質ルアーを裂け難くでき、又裂けた軟質ルアーを用いて再度仕掛けをつくることができるようにしたジグヘッドを提供する。    【解決手段】軟質ルアーがセットされ、ルアー釣りに使用されるジグヘッドにおいて、後端部に釣糸の結束部１１Ｂが設けられた鋼製の釣針１１と、該釣針が刺し通され上記釣針の先端部分１１Ａが外方に突出された軟質ルアー１２と、該軟質ルアーと釣針の先端部分との間に介在される軟質材料製の補強部材１３と、上記軟質ルアー内に刺し込まれて抜け止めする脚部１４Ａ及び上記補強部材に抱きついて上記補強部材を上記釣針に位置決め保持する環状部１４Ｂから構成される軟質プラスチック材料製のロック部材１４と、を備える。【選択図】  図１
2017099295.tif 000002
【特許請求の範囲】
【請求項１】
軟質ルアーがセットされ、ルアー釣りに使用されるジグヘッドにおいて、
後端部に釣糸の結束部（１１Ｂ）が設けられた鋼製の釣針（１１）と、
該釣針（１１）が刺し通され上記釣針（１１）の先端部分（１１Ａ）が外方に突出された軟質ルアー（１２）と、
該軟質ルアー（１２）と釣針（１１）の先端部分（１１Ａ）との間に介在される軟質材料製の補強部材（１３）と、
該軟質ルアー（１２）内に刺し込まれて抜け止めする脚部（１４Ａ）及び上記補強部材（１３）に抱きついて上記補強部材（１３）を上記釣針（１１）に位置決め保持する環状部（１４Ｂ）から構成される軟質プラスチック材料製のロック部材（１４）と、
を備えたことを特徴とするジグヘッド。
【請求項２】
上記釣針（１１）の後端部が重錘（１５）に埋め込まれている請求項１記載のジグヘッド。
【請求項３】
上記ロック部材（１４）は結束バンドを用いて構成され、上記環状部（１４Ｂ）は上記補強部材（１３）に抱きついて強圧するようになっている請求項１記載のジグヘッド。
【発明の詳細な説明】
【技術分野】
【０００１】
本発明は軟質ルアーをセットしてルアー釣りに使用するジグヘッドに関し、特に軟質ルアーを裂け難くでき、又裂けた軟質ルアーを用いて再度仕掛けをつくることができるようにしたジグヘッドに関する。
【背景技術】
【０００２】
釣り用の軟質ルアーには種々のものがあるが、酢酸ビニル系やゴム系の軟質素材からなり、ミミズやゴカイなどに似せた疑似餌、いわゆるワームが知られている。この軟質ルアーは触れた感触がリアルで水流によって微妙に震え、あたかもミミズやゴカイなどが生きているように魚に見せ、集魚効果が高い点にユーザーの人気がある。
【０００３】
かかる軟質ルアーはジグヘッドに取り付けられて用いられる。ジグヘッドは釣針の後端部に釣糸の結束部を設け、必要に応じて釣針の後部を重錘に埋め込んだ構造が採用され（特許文献１、特許文献２）、軟質ルアーに釣針を刺し通し、釣針の先端部分を軟質ルアーから突き出させて使用するようになっている（特許文献３）。
【先行技術文献】
【特許文献】
【０００４】
【特許文献１】特開平１０−６６４７９号公報
【特許文献２】特開２００１−２２４２８０号公報
【特許文献３】特開２０１３−４２号公報
【発明の開示】
【発明が解決しようとする課題】
【０００５】
しかし、特許文献３記載のジグヘッドでは軟質ルアーが軟質素材で製造されていて強度が低く、しかも鋼製の釣針を軟質ルアーに刺し通して先端部分を突き出させているので、１回のヒット（魚が軟質ルアーに喰いつき釣針に掛かる）によって軟質ルアーが千切れることがある。
また、たとえヒットしなくても、何度かのキャスト（魚のいそうな場所への軟質ルアーの投入）で、釣針の先端部分が突き出た軟質ルアーの部分に衝撃が加わって裂けやすかった。しかも、一度裂けると、裂けた軟質ルアー用いて仕掛けをつくることができなかった。
【０００６】
本発明はかかる問題点に鑑み、軟質ルアーを裂け難くでき、裂けた軟質ルアーを用いて再度仕掛けをつくることができるようにしたジグヘッドを提供することを課題とする。
【課題を解決するための手段】
【０００７】
そこで、本発明に係るジグヘッドは、後端部に釣糸の結束部が設けられた鋼製の釣針と、該釣針が刺し通され上記釣針の先端部分が外方に突出された軟質ルアーと、該軟質ルアーと釣針の先端部分との間に介在される軟質材料製の補強部材と、該軟質ルアー内に刺し込まれて抜け止めする脚部及び上記補強部材に抱きついて上記補強部材を上記釣針に位置決め保持する環状部から構成される軟質プラスチック材料製のロック部材と、を備えたことを特徴とする。
【０００８】
本発明の特徴の１つは軟質の補強部材を釣針に当接させ、ロック部材によって軟質の補強部材を釣針に位置決め保持するようにした点にある。これにより、軟質ルアーと釣針の先端部分との間には軟質材料製の補強部材や軟質プラスチック材料製のロック部材が介在され、鋼製の釣針と直接当たらないので、魚が軟質ルアーに喰いつく際や喰いついた後に大きな衝撃が加わっても軟質ルアーが裂けるおそれが少ない。
【０００９】
また、本発明の第２の特徴はロック部材の脚部が軟質ルアー内に刺し込まれて抜け止めされ、ロック部材の環状部が釣針に抱きついて補強部材を釣針に位置決め保持するようにした点にある。これにより、軟質ルアーを釣針に強固に取付けることができ、軟質ルアーが釣針に対して簡単に動くことがなく、釣針に強固にかつ安定に取付けることができ、軟質ルアーが裂けるおそれを少なくできる。
【００１０】
また、ロック部材の脚部が軟質ルアー内に刺し込まれて抜け止めされ、ロック部材の環状部が釣針に抱きついて補強部材を釣針に位置決め保持しているので、軟質ルアーが補強部材とロック部材の面当りによって釣針に取付けられ、裂けた軟質ルアーも補強部材とロック部材の脚部や環状部によって釣針に安定に取付けることができ、裂けた軟質ルアーを使用して仕掛けを作ることができるばかりでなく、優れた集魚効果を保証できる。
【００１１】
釣針は後端部に釣糸の結束部が設けられていればよく、釣針の後部を重錘に埋め込むようにしてもよい。
【００１２】
釣針を軟質ルアーに刺し通す方法は特に限定されず、例えば軟質ルアーの長手方向に釣針を刺し通しその先端部分を軟質ルアーから突き出させるようにしてもよく、軟質ルアーの基部に釣針を刺し通して露出させ先端部分を軟質ルアーに刺し通して突き出させるようにしてもよい。
【００１３】
ロック部材は軟質ルアー内に刺し込まれて抜け止めする脚部及び補強部材に抱きついて補強部材を釣針に位置決め保持する環状部から構成されていればよく、例えば結束バンドを用いて構成し、環状部に補強部材に抱きつかせて強圧するように構成すると、軟質ルアーの耐久性をより向上できる。
【図面の簡単な説明】
【００１４】
【図１】本発明に係るジグヘッドの好ましい実施形態を示す概略図である。
【図２】補強部材及びロック部材を示す拡大斜視図である。
【図３】上記ジグヘッドを用いた仕掛けの作り方を模式的に示す図である。
【図４】第２の実施形態を示す概略図である。
【図５】第３の実施形態を示す概略図である。
【発明を実施するための形態】
【００１５】
以下、本発明を図面に示す具体例に基づいて詳細に説明する。図１ないし図３は本発明に係るジグヘッドの好ましい実施形態を示す。図において、ジグヘッド１０は釣針１１にワーム型の軟質ルアー１２を装着して構成されている。
【００１６】
釣針１１は鋼線を用いてＪ字状に折り曲げ、熱処理を行って製作され、釣針１１の先端部１１Ａにはモドリが形成され、又釣針１１の後端には釣糸の結束部１１Ｂが形成されている。
【００１７】
軟質ルアー１２は酢酸ビニル系やゴム系の軟質素材を用いてミミズやゴカイなどに似せた形状に製作され、軟質ルアー１２には穴が中心に沿って大径の基端から先端側の中間部位に向って穿設され、軟質ルアー１２の穴には釣針１１が刺し通され、釣針１１の先端部１１Ａは軟質ルアー１２から突き出されている。
【００１８】
また、釣針１１の先端部１１Ａには補強部材１３がロック部材１４によって取付け保持されている。補強部材１３はエラストマーなどの軟質材料を用いて製作され、ロック部材１４のバンドが挿通される２つの穴が形成されるとともに、２つの穴に直交する面には釣針１１の先端部１１Ａが挿通される１つの穴が形成されている。
【００１９】
他方、ロック部材１４はポリプロピレン等の軟質プラスチック材料を用いて製作された結束バンドが使用されている。このロック部材１４は矩形状のベース１４Ｃにバンドの一端部を係止し他端側を補強部材１３の２つの穴にリング（環状部）１４Ｂを形成するように挿通した後ベース１４Ｃに挿通させる一方、ベース１４Ｃに脚部１４Ａを一体的に設け、脚部１４Ａに抜止め用突刺を起立させることによって構成されている。
【００２０】
ロック部材１４の脚部１４Ａは釣針１１の先端部１１Ａに沿って軟質ルアー１２内に差し込まれ、リング１４Ｂは補強部材１３に抱きつき、バンドを引き絞ることによってロック部材１４のリング１４Ｂが補強部材１３及び釣針１１の先端部１１Ａに抱きついて強圧することによって、補強部材１３が釣針１１の先端部１１Ａに強固に取付け保持され、バンドの余分な部分は切除され、リング１４Ｂ及び補強部材１３は軟質ルアー１２内に押し込まれている。
【００２１】
本例のジグヘッド１０を製作する場合、図３の（ａ）に示されるように、釣針１１を軟質ルアー１２の基端側から刺し通し、先端部１２Ａを軟質ルアー１２から突き出させる。次に、図３の（ｂ）に示されるように、突き出た釣針１１の先端部１１Ａに補強部材１３の穴を外挿させるとともに、ロック部材１４の脚部１４Ａを釣針１１の先端部１１Ａに沿って軟質ルアー１２内に差し込む。
【００２２】
ロック部材１４のリング１４Ｂが釣針１１の先端部１１Ａの根元まで来ると、図３の（ｃ）に示されるように、ロック部材１４のバンドを引き絞り、補強部材１３を釣針１１の先端部１１Ａに抱きつかせて強圧保持し、最後にロック部材１４の余分なバンドを切除し、補強部材１３及びロック部材１４のリング１４Ｂを軟質ルアー１２を押し込んで釣針１１と軟質ルアー１２の間にロック部材１４のリング１４Ｂ及び補強部材１３を介在させればよい。
【００２３】
以上のように、軟質の補強部材１３を釣針１１に当接させ、ロック部材１４によって軟質の補強部材１３を釣針１１に位置決め保持するようにしたので、軟質ルアー１２と釣針１１の先端部分１１Ａとの間には軟質材料製の補強部材１３や軟質プラスチック材料製のロック部材１４が介在され、軟質ルアー１２と鋼製の釣針１１とが直接当たらないので、魚が軟質ルアー１２に喰いつく際や喰いついた後に大きな衝撃が加わっても軟質ルアー１２が裂けるおそれを少なくできる。
【００２４】
また、ロック部材１４の脚部１４Ａが軟質ルアー１２内に刺し込まれて抜け止めされ、ロック部材１４のリング１４Ｂが補強部材１３に抱きついて強圧し、補強部材１３を釣針１１に位置決め保持するようにしたので、軟質ルアー１２を釣針１１に強固に取付けることができ、軟質ルアー１２が釣針１１に対して簡単に動くことがなく、釣針１１に強固にかつ安定に取付けることができ、軟質ルアー１２が裂けるおそれを少なくできる。
【００２５】
また、ロック部材１４の脚部１４Ａが軟質ルアー１２内に刺し込まれて抜け止めされ、ロック部材１４のリング１４Ｂが補強部材１３に抱きついて補強部材１３を釣針１１に位置決め保持しているので、軟質ルアー１２が補強部材１３とロック部材１４の面当りによって釣針１１に取付けられ、裂けた軟質ルアー１２も補強部材１３とロック部材１４の脚部１４Ａやリング１４Ｂによって釣針１１に安定に取付けることができ、裂けた軟質ルアーを使用して仕掛けを作ることができるばかりでなく、優れた集魚効果を保証できる。
【００２６】
図４は第２の実施形態を示し、図において図１ないし図３と同一符号は同一又は相当部分を示す。本例では釣針１１を軟質ルアー１２の基部に刺し通して突き出させ、釣針１１の先端部１１Ａを横断するように軟質ルアー１２に刺し通して軟質ルアー１２から突き出させており、このような構造に軟質ルアー１２を釣針１１にセットすることもできる。
【００２７】
図５は第３の実施形態を示し、図において図１及び図２と同一符号は同一又は相当部分を示す。本例では釣針１１の後部を重錘１５に埋め込むようにしている。
【符号の説明】
【００２８】
１０      ジグヘッド
１１      釣針
１１Ａ      先端部
１１Ｂ      釣糸結束部
１２      軟質ルアー
１３      補強部材
１４      ロック部材
１４Ａ      脚部
１４Ｂ      リング（環状部）
１５      重錘
【図１】
2017099295.tif 000003
【図２】
2017099295.tif 000004
【図３】
2017099295.tif 000005
【図４】
2017099295.tif 000006
【図５】
2017099295.tif 000007